(57)【要約】【課題】写真等の画像付き電子メールを受信した場合にそのメールに対する返信を行うことができ、返信メールの不達問題を解消する。【解決手段】サービスセンター２０は、受信手段によって受信された電子メールが画像付きの電子メールであって且つその本文中に電話番号が記載されているか否かを判定する、該の判定結果が肯定の場合に、予め登録されている電話番号−アドレス変換テーブルの中から前記電話番号に対応するアドレスを取り出し、そのアドレスを差出人アドレスとして用いられるようにする取り出し手段を備える。【選択図】　図１
2004080361.tif 000002
【特許請求の範囲】
【請求項１】
アドレスａから送信されたアドレスｂ宛の電子メールを受信する受信手段と、
予め登録されているアドレス−アドレス変換テーブルを参照して前記アドレスａとアドレスｂを他のアドレスａ′とアドレスｂ′に変換する変換手段と、
前記変換後のアドレスをセットした電子メールを転送する転送手段とを備えた電子メールサービス装置において、
前記受信手段によって受信された電子メールが画像付きの電子メールであって且つその本文中に電話番号が記載されているか否かを判定すると、
該の判定結果が肯定の場合に、予め登録されている電話番号−アドレス変換テーブルの中から前記電話番号に対応するアドレスを取り出し、そのアドレスを前記アドレスａ′（変換後の差出人アドレス）として用いられるようにするために前記変換手段に出力する取り出し手段と
を備えたことを特徴とする電子メールサービス装置。
【請求項２】
前記転送手段は、前記の判定結果が肯定の場合に、前記電話番号を消去した案内メールを生成して転送することを特徴とする請求項１記載の電子メールサービス装置。
【請求項３】
さらに、前記電子メールに添付された画像ファイルを保存する保存手段と、
該保存手段に保存された画像ファイルに保存場所情報を付与する付与手段とを備え、
前記転送手段は、前記の判定結果が肯定の場合に、前記電話番号を消去した案内メールを生成すると共に、その案内メール中に前記付与手段によって付与された保存場所情報を記載して転送することを特徴とする請求項１記載の電子メールサービス装置。
【請求項４】
前記保存手段は、前記画像ファイルを複数の画像ファイルに細分化して保存することを特徴とする請求項３記載の電子メールサービス装置。
【請求項５】
コンピュータに所定の処理機能を実行させるためのプログラムであって、
前記処理機能は、
アドレスａから送信されたアドレスｂ宛の電子メールを受信する受信手段と、
予め登録されているアドレス−アドレス変換テーブルを参照して前記アドレスａとアドレスｂを他のアドレスａ′とアドレスｂ′に変換する変換手段と、
前記変換後のアドレスをセットした電子メールを転送する転送手段と、
前記受信手段によって受信された電子メールが画像付きの電子メールであって且つその本文中に電話番号が記載されているか否かを判定すると、
該の判定結果が肯定の場合に、予め登録されている電話番号−アドレス変換テーブルの中から前記電話番号に対応するアドレスを取り出し、そのアドレスを前記アドレスａ′（変換後の差出人アドレス）として用いられるようにするために前記変換手段に出力する取り出し手段と
を実現するための機能を含むことを特徴とするプログラム。
【請求項６】
請求項５記載のプログラムのすべて又はその一部を格納した記録媒体。
【発明の詳細な説明】
【０００１】
【発明の属する技術分野】
本発明は、特に写真等の画像ファイルを添付した電子メール（以下「画像付き電子メール」という）を配信する電子メールサービス装置、プログラムおよび記録媒体に関する。
【０００２】
【従来の技術】
電子メールとは、通信ネットワークを介してやり取りされる電子的なメッセージ伝達手段の通称である。今日、電子メールは、パーソナルコンピュータや携帯電話機などの通信端末の普及に伴い、老若男女および公私の別を問わず多用されているが、とりわけ、電子メール機能付き携帯電話機の普及は、電子メールの利用者を一気に増加させた最大の要因の一つとされている。なお、以前からパソコン通信などの閉鎖的ネットワークにおいても同名のメッセージ伝達手段が用いられていたが、現在、電子メールといえば、インターネット上の電子メール（Ｅ−ｍａｉｌ）を指す習わしとなっているため、本明細書においてもそれに従うものとする。
【０００３】
図８は、従来公知の電子メールシステムの概念図であり、特に、画像付き電子メール配信サービスのイメージ図である。この図において、携帯電話機１、２は、画像付き電子メールの送受信機能、たとえば、エヌ・ティー・ティー・ドコモ株式会社が提供するｉショット（Ｒ）サービス機能を有している。
【０００４】
ｉショット（Ｒ）サービスの利用手順は、次のとおりである。
▲１▼画像付き電子メールの送信者３は、自分の携帯電話機１を操作して、写真等の画像ファイル（以下、単に「画像」という）を添付した電子メールを作成し、それをｉショット（Ｒ）サービスのサービスセンター４に送信する。
▲２▼サービスセンター４は、電子メールに添付されている画像５を取り出し、その画像５に保存場所情報（ＵＲＬ：Ｕｎｉｆｏｒｍ　Ｒｅｓｏｕｒｃｅ　Ｌｏｃａｔｏｒ）を割り当てて保存すると共に、
▲３▼電子メールの本文（画像付き電子メールの送信者３が書き込んだ文字列）と上記のＵＲＬとを含む写真保存案内通知メール（以下、単に「案内メール」という）を生成し、転送サーバ６経由で相手先（受信者７）の携帯電話機２に送信する。
▲４▼受信者７は、自分の携帯電話機２を操作して案内メールを読む。
▲５▼そして、所望により、その案内メールに記載されているＵＲＬにアクセスし、
▲６▼携帯電話機２に実装されているブラウザソフトを用て、サービスセンター４に保存されている画像５をダウンロードし、表示閲覧する。
【０００５】
図９は、従来の案内メールの構成を示す図である。案内メール８は、差出人アドレスや表題を有するメールヘッダ部９とメッセージボディ部１０とからなる。メッセージボディ部１０は、複数（図では三つ）のサブボディ部１１〜１３に分かれている。順番は特に限定されないが、真ん中の第２のサブボディ部１２は、送信者３によって書き込まれた文字列（メール本文）の表示部であり、また、第１及び第２のサブボディ部１１、１３は、サービスセンター４によって付加された所定の文字列の表示部である。
【０００６】
ここに、“所定の文字列”とは、送信者３の携帯電話機１の識別番号（すなわち電話番号）と、画像５の保存場所を示すＵＲＬとを含む文字列である。図示の例では、第１のサブボディ部１１に“０９０−９９９９−９９９９さんからのメールです”がセットされており、また、第３のサブボディ部１３に“ｈｔｔｐ：／／ｗｗｗ．ａａａ・・・・”がセットされている。“０９０−９９９９−９９９９”は、送信者３の携帯電話機１の電話番号、“ｈｔｔｐ：／／ｗｗｗ．ａａａ・・・・”は、画像５の保存場所を示すＵＲＬである。
【０００７】
かかる案内メールを読んだ受信者７は、所望により、次の二つの行動をとることができる。
（イ）画像の閲覧行動；
すなわち、受信者７は、第３のサブボディ部１３のＵＲＬ（“ｈｔｔｐ：／／ｗｗｗ．ａａａ・・・・”）を選択して所定の機能ボタンを押す（以下「クリック」という）ことにより、ブラウザソフトを起動して画像５をダウンロードし、表示閲覧することができる。
（ロ）相手との会話行動；
すなわち、受信者７は、第１のサブボディ部１３の電話番号（“０９０−９９９９−９９９９”）をクリックすることにより、送信者３の携帯電話機１を呼び出し、相手（送信者３）との間で会話を行うことができる。
【０００８】
【発明が解決しようとする課題】
しかしながら、上記従来公知の電子メールシステムにあっては、以下の不都合があった。
（Ａ）返信メールの不達問題；
案内メール８の差出人アドレスは送信者３のアドレスではなく、サービスセンター４によってセットされたシステムアドレス（たとえば、ｉショット（Ｒ）サービスの場合は“ｐｈｏｔｏ−ｓｅｒｖｅｒ＠ｄｏｃｏｍｏ．ｎｅ．ｊｐ”）である。このため、受信者７が案内メール８に対する返信メールを出してしまった場合、その返信メールの宛先は上記のシステムアドレスになってしまうから、本来の返信先（送信者３）に返信メールが届かない（不達）という問題点がある。
【０００９】
この問題点について、上記従来公知の電子メールシステムにあっては、メール本文中に自分のメールアドレスを記載した署名又はサイン（図９の符号１４参照）を入れることを推奨している。しかしながら、署名の作成は、特に携帯電話機の操作に不慣れに人にとって面倒であるし、そもそも、多くの携帯電話機はワンタッチで返信メールを出すことができるようになっているため、いちいち署名を見て返信のためのメールを作成する行為は一般的な返信メールの操作に馴染まず、このような推奨策は現実的でない。
【００１０】
（Ｂ）プライバシー保護の問題；
また、案内メール８のメッセージボディ部１０に、送信者３の携帯電話機１の電話番号が記載される仕組みになっている。このため、たとえば、見知らぬ相手に画像付き電子メールを送信する場合に、自分の携帯電話機１の電話番号が相手に知られてしまうので、いたずら電話などの迷惑を被る可能性があり、プライバシー保護上の問題点がある。
【００１１】
したがって、本発明が解決しようとする課題は、写真等の画像付き電子メールを受信した場合にそのメールに対する返信を行うことができ、また、相手に自分の電話番号を通知しないようにしてプライバシー保護を図った電子メールサービス装置、プログラムおよび記録媒体を提供することにある。
【００１２】
【課題を解決するための手段】
本発明は、上記の課題を達成するために、アドレスａから送信されたアドレスｂ宛の電子メールを受信する受信手段と、予め登録されているアドレス−アドレス変換テーブルを参照して前記アドレスａとアドレスｂを他のアドレスａ′とアドレスｂ′に変換する変換手段と、前記変換後のアドレスをセットした電子メールを転送する転送手段とを備えた電子メールサービス装置において、
前記受信手段によって受信された電子メールが画像付きの電子メールであって且つその本文中に電話番号が記載されているか否かを判定すると、該の判定結果が肯定の場合に、予め登録されている電話番号−アドレス変換テーブルの中から前記電話番号に対応するアドレスを取り出し、そのアドレスを前記アドレスａ′（変換後の差出人アドレス）として用いられるようにするために前記変換手段に出力する取り出し手段とを備える。
【００１３】
たとえば、ｉショット（Ｒ）サービス対応の画像付きの電子メールを受信した場合、その差出人アドレス（上記のアドレスａ）はｉショット（Ｒ）サービスによってセットされたシステムアドレスであって、実際の差出人アドレスではないが、この発明では、電子メールの本文中に記載された電話番号（これは実際の差出人の端末番号である）から実際の差出人アドレス（上記のアドレスａ′）が特定され、上記のシステムアドレスを実際の差出人アドレスに置き換えて配信される。したがって、受信側では、通常の返信操作で返信メールを出すことができ、前記の問題点Ａ（返信メールの不達問題）が解消される。
【００１４】
また、本発明の好ましい態様は、前記転送手段は、前記の判定結果が肯定の場合に、前記電話番号を消去した案内メールを生成して転送するというものである。
この態様では、受信者側に電子メール送信者の電話番号が通知されないため、前記の問題点Ｂ（プライバシー保護の問題）が解消される。
又は、本発明の好ましい態様は、前記保存手段は、前記画像ファイルを複数の画像ファイルに細分化して保存するというものである。
この態様では、携帯電話機のブラウザソフトにより、複数の画像ファイルを正しい順番に並べて表示閲覧することができると共に、たとえば、画像作成者の意図に反して携帯電話機の待ち受け画面等に勝手に用いられようとした場合は、複数の画像ファイルを合成して一つの画像ファイルに再生する作業が必要となるので、画像の不正利用を回避して著作権保護を図ることができる。
また、本発明のより好ましい態様は、さらに、前記電子メールに添付された画像ファイルを保存する保存手段と、該保存手段に保存された画像ファイルに保存場所情報を付与する付与手段とを備え、前記転送手段は、前記の判定結果が肯定の場合に、前記電話番号を消去した案内メールを生成すると共に、その案内メール中に前記付与手段によって付与された保存場所情報を記載して転送するというものである。
この態様では、受信者に画像ファイルの保存場所情報（たとえば、ＵＲＬ）が通知され、受信者はその保存場所情報に基づいて画像ファイルのダウンロードと表示閲覧を行うことができる。
【００１５】
【発明の実施の形態】
以下、図面を参照して本発明の実施の形態を詳細に説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００１６】
図１は、実施の形態における概念的なシステム構成図である。この図において、サービスセンター（電子メールサービス装置）２０は、送信者としてのユーザ２１の携帯電話機２２から送信された画像付きメール２３の画像（たとえば、写真）２４を保存すると共に、その画像２４の保存場所情報（ＵＲＬ）を記載した案内メール２５を生成し、当該案内メール２５を受信者としてのユーザ２６の携帯電話機２７に配信するという画像付き電子メールの中継配信サービスを行う。
【００１７】
サービスセンター２０は、画像付き電子メールの中継配信サービスに必要な各種機器、たとえば、画像保存サーバ（保存手段、付与手段）２８、中継サーバ（受信手段、変換手段、転送手段、取り出し手段）２９及び会員データサーバ３０などを備える。これら各機器の機能と役割は、次のとおりである。
【００１８】
＜画像保存サーバ２８＞
中継サーバ２９から転送された画像２４を不図示のネットワークを介して公開可能に保存すると共に、その保存場所情報を中継サーバ２９に通知する。ここで、上記の“ネットワーク”は、少なくともユーザ２６の携帯電話機２７と保存サーバ２８との間をインターネットの汎用プロトコル（ＴＣＰ／ＩＰ）に従って接続することができるものである。また、上記の保存場所情報は、インターネット上のドキュメントの位置情報を示すＵＲＬである。
【００１９】
＜中継サーバ２９＞
中継サーバ２９は、画像付き電子メール２３を受信し、その画像付き電子メール２３に添付された画像２４を取り出して保存サーバ２８に出力すると共に、保存サーバ２８から通知されたその画像２４のＵＲＬを含む案内メール２５（その構成は後述する）を生成して、ユーザ２６の携帯電話機２７に配信する。
【００２０】
＜会員データサーバ３０＞
会員データサーバ３０は、本実施の形態における画像付き電子メールの配信サービス会員の諸情報を登録保存する。中継サーバ２９はこの登録情報を参照しながら案内メール２５を生成する。この目的のため、会員データサーバ３０は、少なくとも次の二つの変換テーブル又はそれに相当するものを有する。
【００２１】
第一の変換テーブルは、会員本来の電子メールアドレス（以下「主アドレス」という）と、本実施の形態における画像付き電子メール配信サービスのみに用いられる転送用の電子メールアドレス（以下「副アドレス」という）とを相互に変換するための「アドレス−アドレス変換テーブル３１」である。主アドレスとは、一般的にその会員の名前等を含み、通常、その会員の個人情報の一つとして取り扱われるもののことをいう。これに対して、副アドレスとは、主アドレスの代わりに用いられる転送専用の電子メールアドレスであって、中継サーバ２９は、この副アドレスを送信先アドレスにセットした画像付き電子メール２３を受信する。
【００２２】
図において、アドレス−アドレス変換テーブル３１には、代表的に一対の主・副アドレスが記載されている。すなわち、“ｔａｒｏ＠ａａａ．ｃｏｍ”はある会員（便宜的に太郎さん）の主アドレス、“１２３４＠９．ｍａｉｌ−ｃｏｍ”は同会員の副アドレスである。中継サーバ２９は、送信先アドレスに“１２３４＠９．ｍａｉｌ−ｃｏｍ”がセットされた太郎さん宛の画像付き電子メール２３を受信し、その画像２４を保存サーバ２８に出力すると共に、アドレス−アドレス変換テーブル３１を参照して太郎さんの主アドレス（“ｔａｒｏ＠ａａａ．ｃｏｍ”）を取り出し、その主アドレスを送信先アドレスにセットした案内メール２５を生成して配信する。
【００２３】
さて、冒頭でも説明したとおり、ｉショット（Ｒ）サービス対応の携帯電話機から送信された画像付き電子メールは、その差出人アドレスが、本来の差出人のアドレスではなくシステムアドレスであり、受信者側でワンタッチで返信メールを出せないという問題点（返信メールの不達問題）があった。
【００２４】
そこで、本件発明者らは、当該画像付き電子メールの案内メールには、前出の図９に示すように、本来の差出人に固有の“電話番号”が記載されていることに着目し、その電話番号から本来の差出人の電子メールアドレスを特定して、当該電子メールアドレスを差出人アドレスとする案内メール２５を生成して配信することにより、上記の問題点（返信メールの不達問題）の解消を図ることとした。
【００２５】
図において、電話番号−アドレス変換テーブル３２は、返信メールの不達問題を解消するための必須要素、つまり、電話番号から本来の差出人の電子メールアドレスを特定するための必須要素である。この電話番号−アドレス変換テーブル３２には、一例として、ある会員（便宜的に花子さん）の電話番号（“０９０−９９９９−９９９９”）と同会員の電子メールアドレス（たとえば、“ｈａｎａｋｏ＠ａａａ．ｃｏｍ”）の対が登録されている。
【００２６】
今、ユーザ２１（花子さん）の携帯電話機２２から送信された画像付き電子メール２３が、もし、図９のようなものである場合には、サブボディ部１１に記載されている電話番号（“０９０−９９９９−９９９９”）を手がかりにして電話番号−アドレス変換テーブル３２の中から電子メールアドレス（“ｈａｎａｋｏ＠ａａａ．ｃｏｍ”）を取り出し、その電子メールアドレスを案内メール２５の差出人アドレスにセットして配信する。
【００２７】
図２は、本実施の形態における案内メール２５の構成を示す図である。この案内メール２５と前記従来の案内メール（図９参照）との相違点は、第一に、ヘッダ部２５ａの差出人アドレスに、電話番号−アドレス変換テーブル３２から取り出された電子メールアドレス（“ｈａｎａｋｏ＠ａａａ．ｃｏｍ”）がセットされていることにある。また、第二に、メッセージボディ部２５ｂが、ユーザ２１によって書き込まれた文字列（メール本文）を表示する表示部２５ｃと、中継サーバ２９によって付加された画像２４のＵＲＬを表示する表示部２５ｄとに分かれており、前記従来の案内メール（図９参照）における電話番号表示部（第１のサブボディ部１１）に相当する部分が存在しないこと、すなわち、電話番号が記載されていないことにある。
【００２８】
図３は、電話番号−アドレス変換テーブル３２に電話番号を登録する際に、中継サーバ２９で実行される処理フローチャートである。このフローチャートにおいて、中継サーバ２９は、まず、携帯電話機２２のナンバーディスプレイ機能（発信者番号通知機能）を利用して、その携帯電話機２２の電話番号を取得する（ステップＳ１１）。なお、ナンバーディスプレイ機能を利用せずに、たとえば、携帯電話機２２のテンキーから電話番号を手入力させてもよいが、入力ミスの可能性を否めないため、登録情報の信頼性の点で実用上は、ナンバーディスプレイ機能を利用することが望ましい。
【００２９】
電話番号を取得すると、次に、パスワードを要求する（ステップＳ１２）。このパスワードは会員登録の際に交付された認証情報であり、会員個々の登録情報（たとえば、アドレス−アドレス変換テーブル３１の各レコード）に関連付けして記憶されているものである。
【００３０】
次に、パスワードの一致を判定し（ステップＳ１３）、パスワードが一致しなかった場合はそのまま処理を終了する一方、一致した場合はその会員の主アドレスをアドレス−アドレス変換テーブル３１から取り出して上記の取得した電話番号と一緒に電話番号−アドレス変換テーブル３２に登録（ステップＳ１４）して、処理を終了する。
【００３１】
図４は、本実施の形態における画像付き電子メールの転送タイムランを示す図である。この図において、サービスセンター２０は、携帯電話機２２からの画像付き電子メール２３を受信すると、次に説明する所定のサーバ処理を実行する。
【００３２】
図５は、そのサーバ処理のフローチャートである。このフローチャートでは、まず、電子メール２３に添付されている画像２４を取り出して保存サーバ２８に保存する（ステップＳ２１）。次いで、メール本文中に記載されている電話番号を抽出し（ステップＳ２２）、電話番号−アドレス変換テーブル３２と照合（ステップＳ２３）して、その電話番号に対応した電子メールアドレスを電話番号−アドレス変換テーブル３２から抽出する（ステップＳ２４）。次に、メールの差出人アドレスを、抽出した電子メールアドレスで置き換え、且つ、電話番号を削除した案内メール２５を生成し（ステップＳ２５）、最後に、その案内メール２５を配信する（ステップＳ２６）。
【００３３】
再び、図４において、携帯電話機２７で受信された案内メール２５の差出人アドレスには、元々の画像付き電子メール２３に記載されていた電話番号に対応した電子メールアドレスがセットされている。この電子メールアドレスは画像付き電子メールの送信者のものである。
【００３４】
したがって、案内メールの受信者は、（イ）案内メール２５中のＵＲＬをクリックして画像２４の表示閲覧を行うことができることに加え、（ロ）さらに、携帯電話機２７の返信メール機能を利用してワンタッチで、画像付き電子メール２３の送信者に対して返信メールを送ることができるから、冒頭で説明した「返信メールの不達問題」を解消することができる。（ハ）しかも、案内メール２５には電話番号が記載されていないため、よく知らない相手に個人情報が知られてしまうこともなく、冒頭で説明した「プライバシー保護の問題」も解消できる。
【００３５】
なお、本発明は、上記の実施の形態に限定されない。発明の思想の範囲において様々な変形態様を含むことはもちろんである。
【００３６】
たとえば、上記の実施の形態では、電子メール２３に添付されている画像２４をそのままサーバに保存して、携帯電話機２７のブラウザソフトから閲覧できるようにしている。しかし、このような画像の閲覧方式の場合、画像２４を勝手にダウンロードして、たとえば、携帯電話機２７の待ち受け画面などに使われてしまう可能性があり、画像２４の著作権保護の点で改善すべき余地がある。
【００３７】
そこで、以下の改良態様においては、図６に示すように、電子メールに添付されている画像２４を複数の細分画像（たとえば、升目状に細分化した画像Ａ〜Ｐ）からなる分割画像３１の形で保存し、それを正しい順番に並べて携帯電話機２７のブラウザで表示閲覧させるようにする。
【００３８】
このようにすると、図７に示すように、ブラウザを利用して画像を閲覧する際には元の画像２４と同一の絵２４ａを見ることができる一方、待ち受け画面として利用しようとする場合には、一つの細分画像（たとえば、細分画像Ａ）３１ａだけが携帯電話機２７にダウンロードされ、元の画像２４の形をなさないので、画像２４の著作権を保護することができる。
【００３９】
なお、分割画像３１の形は、前記例示のもの（升目状のもの）に限定されない。縦方向や横方向に短冊状に細分化してもよいし、あるいは、ジグソーバズルのように不等形状に細分化してもよい。
【００４０】
以上説明した本実施の形態の主要な機能は、マイクロコンピュータを含むハードウェア資産と、ＯＳや各種プログラムなどのソフトウェア資産との有機的結合によって機能的に実現されるものであるが、ハードウェア資産およびＯＳは汎用のものを利用できるから、本発明にとって欠くことのできない必須の事項は、実質的に、前記の図５のサーバ処理プログラムに集約されているということがいえる。したがって、本発明は、前記の図５のサーバ処理プログラムのすべてまたはその要部を格納した、フロッピー（登録商標）ディスク、ＭＯ、ＣＤ、ハードディスク、半導体メモリなどの記録媒体（それ自体が流通経路に乗るものはもちろん、ネットワーク上にあって記録内容だけを提供するものも含む）を包含するものである。
【００４１】
【発明の効果】
本発明によれば、たとえば、ｉショット（Ｒ）サービス対応の画像付きの電子メールを受信した場合、その差出人アドレスはｉショット（Ｒ）サービスによってセットされたシステムアドレスであって、実際の差出人アドレスではないが、この発明では、電子メールの本文中に記載された電話番号（これは実際の差出人の端末番号である）から実際の差出人アドレスが特定され、上記のシステムアドレスを実際の差出人アドレスに置き換えて配信される。したがって、受信側では、通常の返信操作で返信メールを出すことができ、前記の問題点Ａ（返信メールの不達問題）が解消される。
また、本発明の好ましい態様によれば、電話番号を消去した案内メールを生成して転送するので、受信者側に電子メール送信者の電話番号が通知されず、前記の問題点Ｂ（プライバシー保護の問題）が解消される。
又は、画像ファイルを複数の画像ファイルに細分化して保存するので、携帯電話機のブラウザソフトにより、複数の画像ファイルを正しい順番に並べて表示閲覧することができると共に、たとえば、画像作成者の意図に反して携帯電話機の待ち受け画面等に勝手に用いられようとした場合は、複数の画像ファイルを合成して一つの画像ファイルに再生する作業が必要となるので、画像の不正利用を回避して著作権保護を図ることができる。
また、本発明のより好ましい態様によれば、受信者に画像ファイルの保存場所情報（たとえば、ＵＲＬ）が通知され、受信者はその保存場所情報に基づいて画像ファイルのダウンロードと表示閲覧を行うことができる。
【図面の簡単な説明】
【図１】実施の形態における概念的なシステム構成図である。
【図２】本実施の形態における案内メール２５の構成を示す図である。
【図３】電話番号−アドレス変換テーブル３２に電話番号を登録する際に、中継サーバ２９で実行される処理フローチャートである。
【図４】本実施の形態における画像付き電子メールの転送タイムランを示す図である。
【図５】サーバ処理のフローチャートである。
【図６】分割画像３１の説明図である。
【図７】分割画像３１の表示状態図である。
【図８】従来公知の電子メールシステムの概念図である。
【図９】従来の案内メールの構成を示す図である。
【符号の説明】
２０　サービスセンター（電子メールサービス装置）
２３　画像付き電子メール（電子メール）
２４　画像（画像ファイル）
２８　画像保存サーバ（保存手段、付与手段）
２９　中継サーバ（受信手段、変換手段、転送手段、取り出し手段）
３１　アドレス−アドレス変換テーブル
３２　電話番号−アドレス変換テーブル
【図１】
2004080361.tif 000003
【図２】
2004080361.tif 000004
【図３】
2004080361.tif 000005
【図４】
2004080361.tif 000006
【図５】
2004080361.tif 000007
【図６】
2004080361.tif 000008
【図７】
2004080361.tif 000009
【図８】
2004080361.tif 000010
【図９】
2004080361.tif 000011